(57)【要約】【課題】ボタン部分の厚みの増大を防ぎつつ、ボタンのクリック感を向上できる防水部材を備えた電子機器を提供する。【解決手段】本発明の電子機器は、開口部２７、３２を有する筐体２１と、開口部２７、３２に遊びをもって嵌め込まれたボタン３４、４６と、ボタン３４、４６との間に隙間を存して筐体２１内に収容されるとともに、ボタン３４、４６の押し込みを感知するスイッチ３５Ｂ、４７Ｂと、ボタン３４、４６が配置される第１の空間３６、４９とスイッチ３５Ｂ、４７Ｂが配置される第２の空間３７、５０とを水密に仕切る防水部材４１、４８と、を具備し、防水部材４１、４８は、ボタン３４、４６とスイッチ３５Ｂ、４７Ｂとの間に位置する防水フィルム４２、５１と、防水フィルム４２、５１と筐体２１とを接着する枠状の弾性体４３、５２と、を有する。【選択図】図４
2008108558.tif 000002
【特許請求の範囲】
【請求項１】
開口部を有する筐体と、
前記開口部に遊びをもって嵌め込まれたボタンと、
前記ボタンとの間に隙間を存して前記筐体内に収容されるとともに、前記ボタンの押し込みを感知するスイッチと、
前記ボタンが配置される空間を水密に仕切る防水部材と、
を具備し、
前記防水部材は、
前記ボタンと前記スイッチとの間に位置する防水フィルムと、
前記防水フィルムと前記筐体とを接着する枠状の弾性体と、
を有することを特徴とする電子機器。
【請求項２】
前記ボタンは、前記弾性体の内側に配置されることを特徴とする請求項１に記載の電子機器。
【請求項３】
開口部を有する筐体と、
前記開口部に遊びをもって嵌め込まれたボタンと、
前記ボタンとの間に隙間を存して前記筐体内に収容されるとともに、前記ボタンの押し込みを感知するスイッチと、
前記スイッチが配置される空間を水密に仕切る防水部材と、
を具備し、
前記防水部材は、
前記ボタンと前記スイッチとの間に位置する防水フィルムと、
前記防水フィルムと前記筐体とを接着する枠状の弾性体と、
を有することを特徴とする電子機器。
【請求項４】
前記スイッチは、前記弾性体の内側に配置されることを特徴とする請求項３に記載の電子機器。
【請求項５】
前記防水フィルムの厚み寸法は、前記弾性体の厚み寸法よりも小さいことを特徴とする請求項１ないし請求項４のいずれか１項に記載の電子機器。
【請求項６】
前記防水フィルムは、ポリエステル系の材料で構成されることを特徴とする請求項１ないし請求項５のいずれか１項に記載の電子機器。
【請求項７】
前記防水フィルムは、ゴムシートで構成されることを特徴とする請求項１ないし請求項５のいずれか１項に記載の電子機器。
【請求項８】
前記弾性体は、両面テープで構成されることを特徴とする請求項６または請求項７に記載の電子機器。
【請求項９】
開口部を有する筐体と、
前記開口部に遊びをもって嵌め込まれたボタンと、
前記ボタンとの間に隙間を存して前記筐体内に収容されるとともに、前記ボタンの押し込みを感知するスイッチと、
前記ボタンが配置される空間を水密に仕切る防水フィルムと、
を具備し、
前記防水フィルムは、周縁部を有するゴムシートで構成され、前記ボタンと前記スイッチとの間に位置するとともに、前記周縁部で前記筐体に接着されることを特徴とする電子機器。
【請求項１０】
開口部を有する筐体と、
前記開口部に遊びをもって嵌め込まれたボタンと、
前記ボタンとの間に隙間を存して前記筐体内に収容されるとともに、前記ボタンの押し込みを感知するスイッチと、
前記スイッチが配置される空間を水密に仕切る防水フィルムと、
を具備し、
前記防水フィルムは、周縁部を有するゴムシートで構成され、前記ボタンと前記スイッチとの間に位置するとともに、前記周縁部で前記筐体に接着されることを特徴とする電子機器。
【発明の詳細な説明】
【技術分野】
【０００１】
本発明は、防水構造を施した電子機器に関する。
【背景技術】
【０００２】
従来の電子機器において、スイッチ部にパッキンを設けて防水性能を向上させたものが存在する。この電子機器は、開口部を有するケースと、この開口部に面してケース内に収容されるスイッチと、ケースの外側を被う外装ラバーと、外装ラバーの内面に設けられる円柱形状の突出部と、スイッチと突出部との間に位置するように、ケースの開口部に取り付けられるゴム製のパッキンと、を備えている。パッキンは、突出部の円柱形状に沿った円筒形状の側面部と、側面部の一端を塞ぐように形成された底部と、を有している。すなわち、パッキンは、断面「コ」字状で一体に成形されている。また、パッキンの底部は、側面部よりも薄く形成されている。
【０００３】
この電子機器では、パッキンを開口部に嵌め入れることにより、ケースの密閉性を確保し、ケース内部への液体の侵入を防止している。また、ユーザがスイッチを操作する際には、外装カバーの突出部を押し込んで、パッキンの底部を介してスイッチを押し込むようにする。このとき、パッキンの底部の弾性により反力が発揮されるため、ユーザにとってスイッチの操作感が向上するとされている（例えば、特許文献１参照）。
【特許文献１】特開２００６−４８０９２号公報
【発明の開示】
【発明が解決しようとする課題】
【０００４】
しかしながら、反力による弾力感を好むユーザがいる一方で、スイッチを押し込む際に指に大きな抵抗がかかることを嫌うユーザがいることも周知である。このため、ゴムにより底部を形成した場合には、ゴム特有の弾力性によりスイッチないしボタンのクリック感が低下する問題がある。また、たとえ底部を側面部よりも薄く構成したとしても、底部をゴムで成形している限り、スイッチ部分の厚み増は避けられない問題がある。特に、近年薄型化が進む携帯型の電子機器では、このようなパッキンをそのまま採用できない問題がある。さらに、上記形状のパッキンを一体成形するには、専用の成形型が必要となるため、製造コストが高くなる問題がある。
【０００５】
本発明の目的は、防水構造の採用に起因する厚み寸法の増大とボタンのクリック感の低下とを防止できる電子機器を提供することにある。
【課題を解決するための手段】
【０００６】
前記目的を達成するため、本発明の一つの形態に係る電子機器は、開口部を有する筐体と、前記開口部に遊びをもって嵌め込まれたボタンと、前記ボタンとの間に隙間を存して前記筐体内に収容されるとともに、前記ボタンの押し込みを感知するスイッチと、前記ボタンが配置される空間を水密に仕切る防水部材と、を具備し、前記防水部材は、前記ボタンと前記スイッチとの間に位置する防水フィルムと、前記防水フィルムと前記筐体とを接着する枠状の弾性体と、を有する。
【０００７】
前記目的を達成するため、本発明の他の形態に係る電子機器は、開口部を有する筐体と、前記開口部に遊びをもって嵌め込まれたボタンと、前記ボタンとの間に隙間を存して前記筐体内に収容されるとともに、前記ボタンの押し込みを感知するスイッチと、前記スイッチが配置される空間を水密に仕切る防水部材と、を具備し、前記防水部材は、前記ボタンと前記スイッチとの間に位置する防水フィルムと、前記防水フィルムと前記筐体とを接着する枠状の弾性体と、を有する。
【０００８】
前記目的を達成するため、本発明の他の形態に係る電子機器は、開口部を有する筐体と、前記開口部に遊びをもって嵌め込まれたボタンと、前記ボタンとの間に隙間を存して前記筐体内に収容されるとともに、前記ボタンの押し込みを感知するスイッチと、前記ボタンが配置される空間を水密に仕切る防水フィルムと、を具備し、前記防水フィルムは、周縁部を有するゴムシートで構成され、前記ボタンと前記スイッチとの間に位置するとともに、前記周縁部で前記筐体に接着される。
【０００９】
前記目的を達成するため、本発明の他の形態に係る電子機器は、開口部を有する筐体と、前記開口部に遊びをもって嵌め込まれたボタンと、前記ボタンとの間に隙間を存して前記筐体内に収容されるとともに、前記ボタンの押し込みを感知するスイッチと、前記スイッチが配置される空間を水密に仕切る防水フィルムと、を具備し、前記防水フィルムは、周縁部を有するゴムシートで構成され、前記ボタンと前記スイッチとの間に位置するとともに、前記周縁部で前記筐体に接着される。
【発明の効果】
【００１０】
本発明によれば、防水構造の採用に起因する厚み寸法の増大とボタンのクリック感の低下とを防止できる電子機器を提供できる。
【発明を実施するための最良の形態】
【００１１】
以下に、図１から図８を参照して、本発明の電子機器の第１の実施形態について説明する。図１に示すように、電子機器の一例であるポータブルコンピュータ１１は、本体ユニット１２と、表示ユニット１３と、本体ユニット１２と表示ユニット１３との間に設けられるヒンジ部１４と、を備えている。ヒンジ部１４は、表示ユニット１３を支持しており、表示ユニット１３を本体ユニット１２に対して回動させることができる。表示ユニット１３は、液晶ディスプレイ１５、およびラッチ１６を有している。なお、本実施形態では、ポータブルコンピュータ１１の一例として、ノート型のパソコンを開示している。
【００１２】
本体ユニット１２は、筐体２１と、筐体２１の内部に収容されるプリント回路板２２（メイン基板）と、筐体２１の上面に設けられたキーボード２３およびタッチパッド２４と、筐体２１の上面でキーボード２３よりも奥の位置に設けられるコントロールボタン装置２５と、を有している。プリント回路板２２は、銅製の配線層を積層したプリント配線板と、プリント配線板上に実装された電子部品などを有している。
【００１３】
筐体２１は、ケース本体２１Ａと、ケース本体２１Ａの上面でキーボード２３よりも奥の位置を被うカバー２１Ｂと、を有している。カバー２１Ｂは、カバー本体２６と、カバー本体２６に設けられた計３個の第１の開口部２７と、を有している。３個の第１の開口部２７は、カバー２１Ｂの長手方向に沿った方向に並んで配置されている。図３に示すように、ケース本体２１Ａは、カバー２１Ｂが被さる領域の内側に、凹部３１を有している。凹部３１は、長方形をなして、周囲の筐体２１部分よりも窪んで平らに形成されている。ケース本体２１Ａは、タッチパッド２４の後述するパッド本体４４を取り付けるための第２の開口部３２と、第２の開口部３２の周囲に設けられた複数の第３の開口部３３と、を有している。
【００１４】
図１に示すように、コントロールボタン装置２５は、例えば、電源ボタン等の各種の機能をもったボタンで構成されている。図４に示すように、コントロールボタン装置２５は、第１の開口部２７にそれぞれ遊びをもって嵌まる第１のボタン３４と、第１のボタン３４の押圧を感知するスイッチ基板３５と、を有している。また、コントロールボタン装置２５は、第１のボタン３４が配置される第１の空間３６と、スイッチ基板３５が配置される第２の空間３７と、第１の空間３６と第２の空間３７とを水密に仕切る第１の防水部材４１とを有している。
【００１５】
第１のボタン３４は、第１のボタン本体３４Ａと、第１のボタン本体３４Ａを筐体２１のカバー２１Ｂに固定する固定部３４Ｂと、第１のボタン本体３４Ａの底面から突出する突出部３４Ｃと、を有している。また、スイッチ基板３５は、第１の基板本体３５Ａと、第１の基板本体３５Ａに実装された第１のスイッチ３５Ｂと、第１のスイッチ３５Ｂの表面を被う第１の薄膜３５Ｃと、を有している。スイッチ基板３５は、第１のボタン３４との間に隙間を存して配置しており、筐体２１のカバー２１Ｂの内側に収容されている。
【００１６】
図３と図４に示すように、第１の防水部材４１は、スイッチ基板３５が配置される第２の空間３７を水密に仕切っている（囲っている）。第１の防水部材４１は、第１のボタン３４と第１のスイッチ３５Ｂとの間に位置する第１の防水フィルム４２と、第１の防水フィルム４２と筐体２１とを接着する枠状の第１の弾性体４３と、を有している。
【００１７】
図３に示すように、第１の弾性体４３は、枠形状に形成されている。第１の弾性体４３は、例えば、両面テープで構成されている。図４に示すように、第１の弾性体４３は、弾力性のある第１の基材層４３Ａと、第１の基材層４３Ａの両面に設けられた一対の第１の接着層４３Ｂとを有している。第１の基材層４３Ａは、防水性の多孔質材料、例えばスポンジで構成されている。第１の弾性体４３の厚み寸法Ａは、例えば、１ｍｍから５ｍｍの厚さで構成されている。第１の弾性体４３の内側にスイッチ基板３５の第１のスイッチ３５Ｂが配置されている。なお、第１の弾性体４３は、両面テープに限られるものではなく、例えばゴム等のその他の弾性体であってもよい。
【００１８】
第１の防水フィルム４２は、例えばポリエステル系の材料やゴムシートで構成される。このため、第１の防水フィルム４２は、高い機械的強度と防水性とを有している。第１の防水フィルム４２の厚み寸法Ｂは、例えば、０．０５ｍｍから０．１５ｍｍの厚さで構成されている。すなわち、第１の防水フィルム４２の厚み寸法Ｂは、第１の弾性体４３の厚み寸法Ａよりも小さくなっている。
【００１９】
タッチパッド２４は、パッド本体４４と、パッド本体４４の周囲に設けられるタッチパッドボタン装置４５を有している。図５に示すように、パッド本体４４は、ケース本体２１Ａの第２の開口部３２に面するように、ケース本体２１Ａに取り付けられている。また、タッチパッドボタン装置４５は、第３の開口部３３にそれぞれ遊びをもって嵌まる計４個の第２のボタン４６と、第２のボタン４６の押圧を感知するサブ基板４７と、を有している。図６に示すように、タッチパッドボタン装置４５は、第２のボタン４６が配置される第１の空間４９と、サブ基板４７が配置される第２の空間５０と、第１の空間４９と第２の空間５０とを水密に仕切る第２の防水部材４８と、を有している。なお、図６では、紙面手前側が鉛直方向における上方で、紙面奥側が鉛直方向における下方である。
【００２０】
図６に示すように、第２のボタン４６は、第２のボタン本体４６Ａと、第２のボタン本体４６Ａを筐体２１のケース本体２１Ａに固定する固着部４６Ｂと、第２のボタン本体４６Ａの底面から突出する凸部４６Ｃと、を有している。サブ基板４７は、第２の基板本体４７Ａと、第２の基板本体４７Ａに実装された第２のスイッチ４７Ｂと、第２のスイッチ４７Ｂの表面を被う第２の薄膜４７Ｃと、有している。サブ基板４７は、第２のボタン４６との間に隙間を存して配置しており、筐体２１のケース本体２１Ａ内に収容されている。
【００２１】
図５と図６に示すように、第２の防水部材４８は、第２のボタン４６が配置される第１の空間４９を水密に仕切っている（囲っている）。第２の防水部材４８は、第２のボタン４６と第２のスイッチ４７Ｂとの間に位置する第２の防水フィルム５１と、第２の防水フィルム５１と筐体２１とを接着する枠状の第２の弾性体５２と、を有している。
【００２２】
図５に示すように、第２の弾性体５２は、枠形状に形成されている。第２の弾性体５２は、例えば、両面テープで構成されている。図６に示すように、第２の弾性体５２は、弾力性のある第２の基材層５２Ａと、第２の基材層５２Ａの両面に設けられた一対の第２の接着層５２Ｂとを有している。第２の基材層５２Ａは、防水性の多孔質材料、たとえばスポンジで構成されている。第２の弾性体５２の厚み寸法Ｃは、例えば、１ｍｍから５ｍｍの厚さで構成されている。第２の弾性体５２の内側に第２のボタン４６が配置されている。なお、第２の弾性体５２は、両面テープに限られるものではなく、例えばゴム等のその他の弾性体であってもよい。
【００２３】
第２の防水フィルム５１は、例えばポリエステル系の材料やゴムシートで構成されており、高い機械的強度と防水性とを有している。第２の防水フィルム５１の厚み寸法Ｂは、例えば、０．０５ｍｍから０．１５ｍｍの厚さで構成されている。すなわち、第２の防水フィルム５１の厚み寸法Ｂは、第２の弾性体５２の厚み寸法Ｃよりも小さくなっている。
【００２４】
ここで、図７を参照してコントロールボタン装置２５の動作について説明する。コントロールボタン装置２５では、ユーザの指によって第１のボタン３４が押し込まれると、第１のボタン３４の突出部３４Ｃが、スイッチ基板３５の第１のスイッチ３５Ｂを押し込んでオンにする。その際、第１のボタン３４とスイッチ基板３５との間に位置する第１の防水部材４１にも、第１のボタン３４の押圧力がかかるようになる。
【００２５】
第１のボタン３４がスイッチ基板３５に向けて押し込まれると、第１の防水部材４１の第１の防水フィルム４２がスイッチ基板３５に向かって押し込まれる。この張力は、第１の防水フィルム４２の周囲に作用して、第１の弾性体４３を変形させる。第１の弾性体４３の変形により、第１の防水フィルム４２の移動量を確保して、第１のボタン３４のストローク量を確保することができる。また、第１の弾性体４３が変形するため、第１の弾性体４３と第１の防水フィルム４２と間に作用する力は、極力小さいものになっている
図８を参照して、タッチパッドボタン装置４５の動作について説明する。タッチパッドボタン装置４５の第２のボタン４６がユーザによって押し込まれると、第２のボタン４６の凸部４６Ｃが、サブ基板４７の第２のスイッチ４７Ｂを押し込んで、これをオンにする。その際、第２のボタン４６とサブ基板４７との間に位置する第２の防水部材４８にも、第２のボタン４６の押圧力が作用する。
【００２６】
このような押圧力が作用すると、第２の防水部材４８の第２の防水フィルム５１は、サブ基板４７に向かって押し付けられる。これにより、第２の防水フィルム５１の周囲に張力が作用して、第２の弾性体５２を変形させる。第２の弾性体５２の変形により、第２の防水フィルム５１の移動量が確保されるとともに、第２の防水フィルム５１と第２の弾性体５２との間に働く力も極力小さくすることができる。
【００２７】
続いて、図４を参照して、実際にカバー２１Ｂから液体が浸入した場合について説明する。カバー２１Ｂは、その内側の部分の水密性を確保できないことから、本実施形態では、スイッチ基板３５自体を第１の防水部材４１で被うようにしている。すなわち、スイッチ基板３５は、第１の防水部材４１の第１の弾性体４３の内側に配置されている。
【００２８】
第１の開口部２７と第１のボタン３４との隙間から液体が浸入すると、第１の防水部材４１の第１の防水フィルム４２上に液体が流れる。この液体は、第１の防水フィルム４２の周囲に流れて、ケース本体２１Ａの凹部３１に溜まるようになる。この場合であっても、スイッチ基板３５が配置される第２の空間３７は、第１の防水部材４１によって水密に仕切られているため、スイッチ基板３５が液体に浸されることから防止されている。
【００２９】
図６を参照して、第２の開口部３２から筐体２１内部に液体が浸入した場合について説明する。タッチパッドボタン装置４５の周囲に関しては、筐体２１の他の部分から浸水するおそれがないため、この部分では、第２の開口部３２を第２の防水部材４８で覆うようにしている。すなわち、第２の防水部材４８の第２の弾性体５２の内側には、タッチパッドボタン装置４５の第２のボタン４６が位置している。
【００３０】
第２の開口部３２と第２のボタン４６の隙間から液体が浸入すると、この液体は、第２の防水部材４８の第２の防水フィルム５１と第２の弾性体５２とによって第１の空間４９内に保持される。このため、この液体がサブ基板４７が配置される第２の空間５０内に浸入することはないようになっている。
【００３１】
以上が、電子機器の第１の実施形態である。第１の実施形態によれば、ポータブルコンピュータ１１は、第１のボタン３４が配置される第１の空間３６と第１のスイッチ３５Ｂが配置される第２の空間３７とを水密に仕切る第１の防水部材４１を有し、第１の防水部材４１は、第１のボタン３４と第１のスイッチ３５Ｂとの間に位置する第１の防水フィルム４２と、第１の防水フィルム４２と筐体２１とを接着する枠状の第１の弾性体４３と、を有する。また、ポータブルコンピュータ１１は、第２のボタン４６が配置される第１の空間４９と第２のスイッチ４７Ｂが配置される第２の空間５０とを水密に仕切る第２の防水部材４８を有し、第２の防水部材４８は、第２のボタン４６と第２のスイッチ４７Ｂとの間に位置する第２の防水フィルム５１と、第２の防水フィルム５１と筐体２１とを接着する枠状の第２の弾性体５２と、を有する。
【００３２】
これらの構成によれば、第１の防水部材４１によって、第１のボタン３４が配置される第１の空間３６と、第１のスイッチ３５Ｂが配置される第２の空間３７とが水密に隔離されるため、たとえ、カバー２１Ｂの第１の開口部２７やカバー２１Ｂの周囲から液体が浸入することがあっても、第１のスイッチ３５Ｂに液体がかかることを阻止することができる。同様に、第２の防水部材４８によって、第２のボタン４６が配置される第１の空間４９と、第２のスイッチ４７Ｂが配置される第２の空間５０とが水密に隔離されるため、筐体２１の第２の開口部から液体が浸入することがあっても、第２のスイッチ４７Ｂに液体がかかることを阻止することができる。
【００３３】
第１の防水部材４１は、第１の防水フィルム４２と、第１の防水フィルム４２と筐体２１とを接着する枠状の第１の弾性体４３と、を有している。第２の防水部材４８は、第２の防水フィルム５１と、第２の防水フィルム５１と筐体２１とを接着する枠状の第２の弾性体５２と、を有している。この構成によれば、第１のボタン３４と第１のスイッチ３５Ｂとの間に第１の防水フィルム４２のみが配置されることになるため、コントロールボタン装置２５において、第１のボタン３４のクリック感が損なわれることを防止することができる。同様に、第２のボタン４６と第２のスイッチ４７Ｂとの間に第２の防水フィルム５１のみが配置されることになるため、タッチパッドボタン装置４５において、第２のボタン４６のクリック感を向上できる。
【００３４】
また、第１の弾性体４３の変形によって、第１の防水フィルム４２の移動量が確保されるため、第１の防水フィルム４２と第１の弾性体４３との間に働く力を小さくして、これらの接着が剥がれてしまうことを極力防止できる。同様に、第２の弾性体５２の変形によって、第２の防水フィルム５１の移動量が確保されるため、第２の防水フィルム５１と第２の弾性体５２との間に働く力を小さくして、これらの接着が剥がれてしまうことを極力防止できる。また、第１、第２の防水フィルム４２、５１の移動量が確保されれば、第１のボタン３４と第２のボタン４６とのしずみ量（ストローク）を十分にとることができる。
【００３５】
本実施形態の第１、第２の防水部材４１、４８を用いれば、従来例のような断面「コ」字状のパッキンを一体成形したもので防水部材を構成する場合に比して、ポータブルコンピュータ１１を薄型に構成できる。また、第１、第２の防水部材４８を製造する際に、一体成形用の専用の型を必要とせず、第１、第２の防水部材４１、４８を低コストで製造できる。第１の防水部材４１によって複数の第１のボタン３４を一括して被うとともに、第２の防水部材４８によって複数の第２のボタン４６を一括して被うことができる。このため、第１のボタン３４の間でクリック感を均一にすることができる。また、第２のボタン４６の間でクリック感を均一にすることができる。
【００３６】
第１の防水フィルム４２の厚み寸法は、第１の弾性体４３の厚み寸法よりも小さくなっている。これにより、第１のボタン３４と第１のスイッチ３５Ｂとの間の隙間を小さくして、ポータブルコンピュータ１１の薄型化をより一層進めることができる。同様に、第２の防水フィルム５１の厚み寸法は、第２の弾性体５２の厚み寸法よりも小さくなっている。このため、第２のボタン４６と第２のスイッチ４７Ｂとの間の隙間を小さくして、ポータブルコンピュータ１１の薄型化を促進できる。この場合、特に、厚さ０．０５ｍｍの第１の防水フィルム４２と、厚さ０．０５ｍｍの第２の防水フィルム５１とを用いれば、防水構造を施していない通常のポータブルコンピュータ１１と同等の厚さにすることができる。
【００３７】
この場合、第１、第２の防水フィルム４２、５１は、ポリエステル系の材料で構成される。これによれば、防水性と機械的強度に優れた防水フィルムを提供できる。また、第１、第２の防水フィルム４２、５１を安価に構成できる。
【００３８】
この場合、第１、第２の防水フィルム４２、５１は、ゴムシートで構成される。これによれば、防水性と機械的強度に優れた防水フィルムを提供できる。また、第１、第２の防水フィルム４２、５１を安価に構成できる。さらに、第１、第２の防水フィルム４２、５１は、クリック感の向上を図るため、薄型のゴムシートで構成されることが好ましい。
【００３９】
第１の弾性体４３は、弾力性のある第１の基材層４３Ａと、第１の基材層４３Ａの両面にそれぞれ設けられた第１の接着層４３Ｂと、を有している。第２の弾性体５２は、弾力性のある第２の基材層５２Ａと、第２の基材層５２Ａの両面にそれぞれ設けられた第２の接着層５２Ｂと、を有している。これらの構成によれば、第１、第２の弾性体４３、５２をいわゆる両面テープで構成できる。このため、第１、第２の防水部材４１、４８を簡単な構造で構成することができる。また、第１、第２の防水部材４１、４８を取り付ける際にも、作業工程を簡略化できる。さらに、第１、第２の弾性体４３、５２を作成する際には、シート状の両面テープを型によって枠状に切り抜けば足りるため、これらを簡単かつ安価に作成できる。
【００４０】
第２のボタン４６は、第２の防水部材４８の第２の弾性体５２の内側に配置されている。この構成によれば、第２のボタン４６およびこれが配置される第２の開口部３２を、第２の防水部材４８で囲まれた第１の空間４９内に配置することができる。このため、第２の開口部３２から筐体２１の内部に侵入した液体を第１の空間４９内に留めることができる。
【００４１】
第１のスイッチ３５Ｂは、第１の防水部材４１の第１の弾性体４３の内側に配置されている。この構成によれば、第１のスイッチ３５Ｂを第１の防水部材４１で囲まれた第２の空間３７内に配置することができる。このため、カバー２１Ｂの第１の開口部２７やカバー２１Ｂの周囲から液体が浸水した場合であっても、第１のスイッチ３５Ｂが液体によって浸されることを防止することができる。
【００４２】
図９を参照して、電子機器の第２の実施形態について説明する。第２の実施形態の電子機器の一例であるポータブルコンピュータ６１は、タッチパッドボタン装置６７の構造において第１の実施形態のものと異なっているが、他の部分は共通している。このため、主として異なる部分について説明し、共通する部分については共通の符号を付して説明を省略する。
【００４３】
ポータブルコンピュータ６１は、本体ユニット１２と、表示ユニットと、これらを連結するヒンジ部とを有している。本体ユニット１２は、筐体６２と、筐体６２内に収容されるプリント回路板と、キーボードと、タッチパッドと、コントロールボタン装置とを有している。筐体６２は、後述する第３のボタン６３が嵌まる窪部６４と、第３のボタン６３の軸部６３Ｂが通される貫通孔６５と、を有している。
【００４４】
タッチパッド２４は、パッド本体４４と、タッチパッドボタン装置６７とを有している。タッチパッドボタン装置６７は、第３のボタン６３と、第３のボタン６３の押圧を感知するサブ基板４７と、第３のボタン６３と筐体６２の窪部６４との間に介在されたばね部材６６と、を有している。また、タッチパッドボタン装置６７は、第３のボタン６３が配置される第１の空間４９と、サブ基板４７が配置される第２の空間５０と、第１の空間４９と第２の空間５０とを水密に仕切る第２の防水部材４８と、を有している。
【００４５】
図６に示すように、第３のボタン６３は、キートップ６３Ａと、キートップ６３Ａから延びる軸部６３Ｂと、を有している。サブ基板４７は、第２の基板本体４７Ａと、第２の基板本体４７Ａに実装された第２のスイッチ４７Ｂと、第２のスイッチ４７Ｂの表面を被う第２の薄膜４７Ｃと、有している。
【００４６】
第２の防水部材４８は、第３のボタン６３と第２のスイッチ４７Ｂとの間に位置する第２の防水フィルム５１と、第２の防水フィルム５１と筐体６２とを接着する枠状の第２の弾性体５２と、を有している。第２の弾性体５２の厚み寸法Ｃは、例えば、１ｍｍから５ｍｍの厚さで構成されている。第２の弾性体５２の内側に第２のボタン４６が配置されている。第２の防水フィルム５１の厚み寸法Ｂは、例えば、０．０５ｍｍから０．１ｍｍの厚さで構成されている。すなわち、第２の防水フィルム５１の厚み寸法Ｂは、第２の弾性体５２の厚み寸法Ｃよりも小さくなっている。
【００４７】
ばね部材６６の付勢力に抗してユーザが第３のボタンを押し込むと、第３のボタン６３の軸部６３Ｂがサブ基板４７の第２のスイッチ４７Ｂを押し込んでオンとする。その際、第２の防水フィルム５１がサブ基板４７に向かって張力を受けることになるが、この張力は、第２の弾性体５２の変形によって吸収される。このため、第２の弾性体５２と、第２の防水フィルム５１との間に働く力は、極力小さいものになっている。この場合、貫通孔６５を介して液体が筐体６２の内部に浸入した場合には、第２の防水部材４８によって、液体が第１の空間４９の内部に保持される。このため、液体によってサブ基板４７が浸されてしまうことが防止される。
【００４８】
第２の実施形態によれば、第３のボタン６３と筐体６２の窪部６４との間にばね部材６６が介在されたタッチパッドボタン装置６７であっても、第２の防水部材４８を適用することができる。これにより、タッチパッドボタン装置６７を取り付けた部分の厚みの増大を防ぎつつ、筐体６２内に液体が浸入することを防止できる。また、第３のボタン６３のクリック感が損なわれることも防止できる。また、第２の弾性体５２の変形によって、第２の防水フィルム５１と第２の弾性体５２との間に働く力が低減されるため、第２の防水フィルム５１と第２の弾性体５２との接着が剥がれてしまうことを極力防止できる。
【００４９】
続いて、図１０と図１１を参照して、電子機器の第３の実施形態について説明する。第３の実施形態の電子機器の一例であるポータブルコンピュータ７１は、コントロールボタン装置７２と、タッチパッドボタン装置７３との構造において第１の実施形態のものと異なっているが、他の部分は共通している。このため、主として異なる部分について説明し、共通する部分については共通の符号を付して説明を省略する。
【００５０】
図１０に示すように、コントロールボタン装置７２において、第１の防水フィルム４２は、第１のスイッチ３５Ｂが配置される第２の空間３７を水密に仕切っている（囲っている）。第１の防水フィルム４２は、周縁部４２Ａを有するゴムシートで構成されている。第１の防水フィルム４２の厚み寸法Ｂは、例えば、０．０５ｍｍから０．１５ｍｍの厚さで構成されている。第１の防水フィルム４２は、第１のボタン３４と第１のスイッチ３５Ｂとの間に位置するとともに、その周縁部４２Ａで筐体２１のケース本体２１Ａに接着されている。第１の防水フィルム４２の周縁部４２Ａと筐体２１とは、例えば両面テープ７６によって接着されている。周縁部４２Ａは、枠形状をなしている。第１のスイッチ３５Ｂは、周縁部４２Ａの内側に配置されている。
【００５１】
図１１に示すように、タッチパッドボタン装置７３において、第２の防水フィルム５１は、第２のボタン４６が配置される第１の空間４９を水密に仕切っている（囲っている）。第２の防水フィルム５１は、周縁部５１Ａを有するゴムシートで構成されている。第２の防水フィルム５１の厚み寸法Ｂは、例えば、０．０５ｍｍから０．１５ｍｍの厚さで構成されている。第２の防水フィルム５１は、第２のボタン４６と第２のスイッチ４７Ｂとの間に位置するとともに、周縁部５１Ａで筐体２１のケース本体２１Ａに接着されている。第２の防水フィルム５１の周縁部５１Ａと筐体２１とは、例えば両面テープ７６によって接着されている。周縁部５１Ａは、枠形状をなしている。第２のボタン４６は、周縁部５１Ａの内側に配置されている。
【００５２】
第３の実施形態によれば、実装スペースの関係から第１の弾性体および第２の弾性体を配置できない場合であっても、防水性を確保することができる。また、ゴムシートで構成される第１の防水フィルム４２自体が伸縮できるため、第１の防水フィルム４２と筐体２１との間に作用する力を極力小さくして、第１の防水フィルム４２が筐体２１から剥がれることを防止できる。同様に、ゴムシートで構成される第２の防水フィルム５１自体が伸縮できるため、第２の防水フィルム５１と筐体２１との間に作用する力が極力小さくして、第２の防水フィルム５１が筐体２１から剥がれることを防止できる。また、第１の防水フィルム４２と第２の防水フィルム５１とがそれぞれ薄型に構成されているため、第１のボタン３４および第２のボタン４６のクリック感を向上できる。
【００５３】
本発明の電子機器は、ポータブルコンピュータ用に限らず、例えば携帯情報端末のようなその他の電子機器に対しても実施可能である。また、上記実施形態では、筐体２１、６２と第１〜第３のボタン３４、４６、６３とが別の部材で構成されているが、上記第１、第２の防水部材４１、４８は、筐体２１の一部がボタン形状をなしており、このボタン形状をなした部分が筐体２１の他の部分と同じ材質である場合にも適用することができる。その他電子機器は、発明の要旨を逸脱しない範囲で種々変形して実施することができる。
【図面の簡単な説明】
【００５４】
【図１】第１の実施形態に係るポータブルコンピュータを示す斜視図。
【図２】図１に示すポータブルコンピュータの蓋部を分解して示す分解斜視図。
【図３】図２に示すポータブルコンピュータのコントロールボタン装置を拡大して示す上面図。
【図４】図３に示す防水構造をＦ４−Ｆ４線の位置で切断して示す断面図。
【図５】図１に示すポータブルコンピュータのタッチパッドボタン装置を筐体の裏側から示す斜視図。
【図６】図５に示すタッチパッドボタン装置をＦ６−Ｆ６線の位置で切断して示す断面図。
【図７】図４に示すコントロールボタン装置において、第１のボタンが押し込まれた状態を示す断面図。
【図８】図６に示すタッチパッドボタン装置において、第２のボタンが押し込まれた状態を示す断面図。
【図９】第２の実施形態に係るポータブルコンピュータのタッチパッドボタン装置を示す断面図。
【図１０】第３の実施形態に係るポータブルコンピュータのコントロールボタン装置を示す断面図。
【図１１】第３の実施形態に係るポータブルコンピュータのタッチパッドボタン装置を示す断面図。
【符号の説明】
【００５５】
１１、６１、７１…ポータブルコンピュータ、２１、６２…筐体、２７…第１の開口部、３３…第３の開口部、３４…第１のボタン、３５…スイッチ基板、３５Ｂ…第１のスイッチ、３６…第１の空間、３７…第２の空間、４１…第１の防水部材、４２…第１の防水フィルム、４２Ａ…周縁部、４３…第１の弾性体、４６…第２のボタン、４７…サブ基板、４７Ｂ…第２のスイッチ、４８…第２の防水部材、４９…第１の空間、５０…第２の空間、５１…第２の防水フィルム、５１Ａ…周縁部、５２…第２の弾性体、６３…第３のボタン
【図１】
2008108558.tif 000003
【図２】
2008108558.tif 000004
【図３】
2008108558.tif 000005
【図４】
2008108558.tif 000006
【図５】
2008108558.tif 000007
【図６】
2008108558.tif 000008
【図７】
2008108558.tif 000009
【図８】
2008108558.tif 000010
【図９】
2008108558.tif 000011
【図１０】
2008108558.tif 000012
【図１１】
2008108558.tif 000013